(57)【要約】  光ディスクは、スパイラル状又は同心円状の情報トラックを有する。光ディスクの情報トラックは、所定のデータの変調信号に対応して形成されたウォブルから成る領域を有する。波面収差変化手段は、ウォブルからの反射光に含まれるウォブル信号から所定のデータを復調する際に、情報トラックに記録された情報を再生する際にビームに与える波面収差とは異なる波面収差をビームに加え、ウォブル信号に含まれる、情報トラックに隣接するトラックからの干渉成分を低減させる。
2009041687.tif 000002
【特許請求の範囲】
【請求項１】
スパイラル状又は同心円状の情報トラックを有し、該情報トラックの少なくも一部が所定のデータの変調信号に対応して形成されたウォブルを有する光ディスクにビームを集光照射する照射装置と、
前記集光ビームを前記情報トラックに追従させるサーボコントローラと、
前記光ディスクからの反射光から抽出されたウォブル信号に含まれるデータを復調するウォブル信号処理手段と、
前記ウォブル信号から前記所定のデータを復調する際に、前記ウォブル信号に含まれる、前記情報トラックに隣接するトラックからの干渉成分を低減させるように、情報トラックに記録された情報を再生する際に前記ビームに与える波面収差とは異なる波面収差を前記ビームに加える波面収差変化手段とを有することを特徴とする光ディスク装置。
【請求項２】
前記波面収差変化手段は、前記ビームに対し、該ビームの光軸の周りに同心円状の位相分布を加えることを特徴とする、請求項１に記載の光ディスク装置。
【請求項３】
前記波面収差変化手段は、前記ビームを集光照射する対物レンズに入射するビームに対し、該ビームの光軸からの距離の４乗に比例して変化する位相分布を加え、かつ、前記情報トラックの記録面上における前記ビームに対し、該ビームの光軸からの距離の２乗に比例して変化する位相分布を加えることを特徴とする、請求項１又は２に記載の光ディスク装置。
【請求項４】
前記波面収差変化手段は、対物レンズを少なくともフォーカス方向に駆動する対物レンズアクチュエータと、光源側からの入射光に球面収差を付加して前記対物レンズ側に出射する球面収差変化手段とを含むことを特徴とする、請求項１〜３の何れか一に記載の光ディスク装置。
【請求項５】
前記波面収差変化手段は、前記ビームを集光照射する対物レンズに入射するビームに対し、該ビームの光軸からステップ状に変化する位相分布を加えることを特徴とする、請求項１又は２に記載の光ディスク装置。
【請求項６】
前記波面収差変化手段は、光源側からの入射光に対し、所定の円形領域内を通る光束と、前記円形領域外を通る光束との間に、ステップ状の位相差π又は−πを与える位相板を含むことを特徴とする、請求項５に記載の光ディスク装置。
【発明の詳細な説明】
【技術分野】
【０００１】
本発明は、光学式情報再生装置に関し、特に、情報トラックの少なくとも一部が所定のデータの変調信号に対応して形成されたウォブル形状からなる光ディスクから情報を再生する光学式情報再生装置に関する。
【背景技術】
【０００２】
光学式情報再生装置は、光ディスクから情報を読み出す再生装置である。光ディスクは、一般に、半径方向に螺旋状又は同心円状に形成されたトラックを有する光透過性の保護層の上に情報記録層を有しており、前記トラックに沿って記録データが配置されている。光ディスクからの情報再生に際しては、光学式情報再生装置（以下、単に光ディスク装置：Optical disk driveと呼ぶ)は、光ヘッドから集光照射されるビームの集光スポットを記録データ上に正しく位置制御する必要がある。光ディスク装置は、そのための制御機構として、サーボコントローラを備えている。【０００３】
サーボコントローラが行う制御には、フォーカス制御とトラック制御とがある。サーボコントローラは、フォーカス制御により、集光スポットを情報記録層の法線方向に位置制御する。その後、トラック制御により、その集光スポットを、トラックの半径方向の中心に位置制御する。これらの動作により、光ディスク装置は、光ディスクの情報記録層の記録データを正しく再生することができる。【０００４】
近年、光ディスクの大容量化が進んでいる。最近では、波長４０５ｎｍの半導体レーザと開口数（ＮＡ）０．８５の対物レンズとを用いて集光スポットを微小化する技術によって、情報記録面当たり約２５ＧＢの記録容量を有する高密度光ディスクが開発されている（例えば、非特許文献１参照）。このような高密度ディスクとして、ＢＤ（Ｂｌｕ−Ｒａｙ  Ｄｉｓｋ）規格のディスクがある。ＢＤ規格のディスクには、再生専用型のディスクや書換え可能型のディスクなどがある。【０００５】
ＢＤのうちで書き換え可能なディスクであるＢＤ−ＲＥ（Blu-ray Disc Rewritable）のディスク構造は、例えば、特許文献１に説明されている。ＢＤ−ＲＥは、内周側から順次に、クランピング領域、トランジション領域、ＢＣＡ（Burst Cutting Area）領域、リードイン領域、データ領域、リードアウト領域を有する。リードイン領域には、高周波変調（ＨＦＭ：High Frequency Modulated）グルーブが形成されており、データ領域へのデータの記録又は再生に必要なディスク情報が予め保存されている。特許文献１に示されるように、ＨＦＭグルーブは、矩形波状のウォブル形状をしており、バイフェーズ変調方式により変調されたディスク情報を格納する。光ディスク装置は、ＨＦＭグルーブに対するトラッキングサーボ動作を実施し、このディスク情報を復調する。【０００６】
光ディスクでは、光ディスクの保護層の厚みが仕様値と異なる場合がある。このような場合には、高ＮＡの対物レンズを用いて光ディスクから情報を再生する光ディスク装置では、光ディスクに入射する光束が断面の中心から離れるにつれてＮＡの４乗に比例した球面収差が発生する。球面収差は、ＲＦ信号品質やプッシュプル信号品質を劣化させるため、光ディスク装置では、球面収差を補正する手段が不可欠となる。球面収差補正手段により球面収差補正量を調整する方法として、例えば、特許文献２に記述された方法がある。特許文献２には、信号品質指標が最適となる球面収差補正量とフォーカス位置とを探査する光情報処理装置が記述されている。信号品質指標が最適とは、例えばトラックエラー信号振幅が最大である、ＲＦ信号エラーレートが最小である、ＲＦ信号振幅が最大である、ＲＦ信号ジッタが最小である、ウォブル信号振幅が最大であることを意味する。【０００７】
また、未記録ディスクに対して、記録時に最適な球面収差補正量とフォーカスオフセットとを調整する方法は、例えば、特許文献３に記載されている。特許文献３では、ＨＦＭグルーブ領域内でウォブル信号のエンベロープ振幅レベルが最大となるように球面収差補正量とフォーカスオフセットとを調整する。
【非特許文献１】Blu-ray Disc Association、February 2006、White paper Blu-ray Disc Format 1.A Physical Format Specifications for BD-RE 2nd Edition February 2006
【特許文献１】特開２００５−３１０３７５号公報
【特許文献２】特開２００３−２３３９１７号公報
【特許文献３】特開２００６−３０２３２６号公報
【発明の開示】
【発明が解決しようとする課題】
【０００８】
以下では、光ディスク装置が、波長λ＝４０５ｎｍの半導体レーザと、ＮＡ＝０．８５の対物レンズとを有する光記録再生装置である例を説明する。また、光ディスクとしては、ＢＤ−ＲＥを例として説明する。ＢＤ−ＲＥのリードインのＨＦＭグルーブは、３６Ｔの区間と１８Ｔの区間（Ｔはチャネルビット長）で構成されている。図１７に、ＢＤ−ＲＥのリードインのＨＦＭグルーブを例示する。同図では、１８Ｔの区間のＨＦＭグルーブ３０のみで、集光スポット１２２が走査する目標トラック３１と、目標トラック３１に隣接する隣接トラック３２との形状切り替わり部３３が一致している。図１７に示すように、ＨＦＭグルーブ３０は４つのパターン（ＰａｔｔｅｒｎＡ〜ＰａｔｔｅｒｎＤ）を基本とし、目標トラック３１に対して、両側の隣接トラック３２が相対的にずれる。すなわち、各パターンの形状切替り点が、矢印３５で示した集光スポット１２２の移動方向にずれている。このため、ＨＦＭグルーブ３０はトラックごとに異なるパターンを持っている。【０００９】
図１８に、ウォブル信号波形を示す。同図には、ＢＤ−ＲＥのリードインのＨＦＭグルーブ領域において、プッシュプル信号振幅を最大にする球面収差補正量及びフォーカスオフセットで集光スポットがトラックを走査しているときのウォブル信号波形が示されている。この球面収差補正量とフォーカスオフセットとでは、ウォブル信号振幅も最大となる。しかし、目標トラックとは異なるウォブルである隣接トラックからの外乱、すなわち、隣接グルーブトラックのウォブル成分の洩れ込みが異なるため、ウォブル信号には局所的な波形歪や振幅低下が発生する。図１８には、デジタル信号の１／０を判定する電圧値（スライスレベル）を破線３６で示している。【００１０】
また、特許文献１に記載されているように、３６Ｔの区間で一律にラジアル方向へずれたグルーブ形状である場合をウォブル信号の「０」とし、３６Ｔの区間で２つの１８Ｔの区間がラジアル方向に互いにずれたグルーブ形状である場合をウォブル信号の「１」とする。スライスレベルを基準にウォブル信号を２値化する場合、図１８の矢印で示した３７の波形部分は、‘００’か‘０１’かの区別がつけにくい。例えば、この部分で本来‘０１’であるべき信号を‘００’と判定すると、ディスク情報を復調する際に読み誤ることになる。すなわち、プッシュプル信号振幅最大で所定のデータの変調信号に対応して形成されたウォブルに含まれるディスク情報を復調しようとすると、読み誤りが発生する。【００１１】
本発明は、所定のデータの変調信号に対応して形成されたウォブルから、ウォブルに含まれるデータを復調する際に、読み誤りを低減できる光ディスク装置を提供することを目的とする。
【課題を解決するための手段】
【００１２】
本発明は、スパイラル状又は同心円状の情報トラックを有し、該情報トラックの少なくも一部が所定のデータの変調信号に対応して形成されたウォブルを有する光ディスクにビームを集光照射する照射装置と、
前記集光ビームを前記情報トラックに追従させるサーボコントローラと、
前記光ディスクからの反射光から抽出されたウォブル信号に含まれる所定のデータを復調するウォブル信号処理手段と、
前記ウォブルから前記所定のデータを復調する際に、前記ウォブル信号に含まれる、前記情報トラックに隣接するトラックからの干渉成分を低減させるように、情報トラックに記録された情報を再生する際に前記ビームに与える波面収差とは異なる波面収差を前記ビームに加える波面収差変化手段を有することを特徴とする光ディスク装置を提供する。
【発明の効果】
【００１３】
本発明の光ディスク装置では、変調されたウォブル信号からデータを復調するときの読み誤りを低減することができる。【００１４】
本発明の上記及び他の目的、特徴及び利益は、図面を参照する以下の説明により明らかになる。
【図面の簡単な説明】
【００１５】
【図１】本発明の第１の実施形態の光ディスク装置の構成を示すブロック図。
【図２】図１の光ディスク装置で用いられる光ヘッドの構成を示すブロック図。
【図３】情報記録層上の光束の断面の位相分布を示す図。
【図４】球面収差変化手段の構成例を示すブロック図。
【図５】球面収差変化手段を透過した光束の断面の位相分布を示す図。
【図６】図６Ａ〜６Ｄはそれぞれ、目標トラックと隣接トラックとのＨＦＭグルーブのパターンを例示する平面図。
【図７】プッシュプル信号の振幅を最大としたときのウォブル信号の計算結果を示す波形図。
【図８】球面収差変化量とフォーカスオフセットとを与えたときのウォブル信号の計算結果の一例を示す波形図。
【図９】光ディスクの半径方向の断面を示す断面図。
【図１０】本発明の第２実施形態の光ディスク装置の構成を示すブロック図。
【図１１】図１０の光ディスク装置で用いられる光ヘッドの構成を示すブロック図。
【図１２】図１２Ａ及び１２Ｂはそれぞれ、位相板の概略を示す断面図及び上面図。
【図１３】位相板への印加電圧と位相板を透過する平行光束の位相差との関係を示すグラフ。
【図１４】位相板を透過した平行光束の位相分布を示す図。
【図１５】ステップ状の位相差を与えたときのウォブル信号の計算結果を示す波形図。
【図１６】球面収差変化量の有無におけるフォーカス位置を法線方向に移動したときのフォーカス誤差信号を示すグラフ。
【図１７】一般的な光ディスクで、集光スポットが走査する目標トラックとその隣接トラックの向きのパターンの一例を示す図。
【図１８】プッシュプル信号振幅を最大に設定したときのウォブル信号の実測値を示す波形図。
【発明を実施するための最良の形態】
【００１６】
以下、図面を参照し、本発明の実施の形態を詳細に説明する。なお、理解を容易にするために、全図を通して同様な要素には同様な符号を付して示す。図１は、本発明の第１実施形態の光ディスク装置の構成を示している。この光ディスク装置は、光ヘッド１１、レーザ制御手段１４、ウォブル信号処理手段１５、サーボコントローラ１６、スピンドルモータ１７、スピンドルコントローラ１８、及び、システムコントローラ１９を備える。スピンドルモータ１７は、光ディスク１０を回転させる。スピンドルコントローラ１８は、スピンドルモータ１７の駆動を制御する。光ディスク１０は、バイフェーズ変調方式により変調されたディスク情報を格納したＨＦＭグルーブが形成されている領域を有する。【００１７】
光ヘッド１１は、半導体レーザ１２、光検出器１３、及び、対物レンズ１１０を有している。光ヘッド１１は、半導体レーザ１２から出射した光を対物レンズ１１０で集光し、集光した光束を、光ディスク１０に照射する。また、光ディスク１０からの戻り光束を、光検出器１３によって検出する。光ヘッド１１は、図示しないスレッド機構により光ディスク１０の半径方向に移動する。スレッド機構には、例えば、ステッピングモータとリードスクリューを用いる駆動機構、或いは、ＤＣモータとギアトレインを用いる駆動機構を用いることができる。【００１８】
レーザ制御手段１４は、システムコントローラ１９からの指令に従って、半導体レーザ１２を所定のパワーで発光させる。ウォブル信号処理手段１５は、光検出器１３の出力信号を入力し、この出力信号からウォブルを検出してウォブル信号を生成する。ウォブル信号処理手段１５は、生成したウォブル信号を波形等化し、システムコントローラ１９からの指令信号に従って、波形等化したウォブル信号を所定のフォーマットで復調する。ウォブル信号処理手段１５は、ウォブル信号から復調したディスク情報を、システムコントローラ１９に出力する。【００１９】
サーボコントローラ１６は、フォーカス制御部１６１とトラック制御部１６２と球面収差制御部１６３とを有する。サーボコントローラ１６は、光ヘッド１１が光ディスク１０へ照射する集光スポット１２２の位置と、対物レンズ１１０へ入射する光束が持つ波面収差とを制御する。具体的には、フォーカス制御部１６１は、光検出器１３の出力信号から生成した誤差信号に基づいて、集光スポット１２２が所定のフォーカス位置となるように対物レンズアクチュエータ１１１を制御する。また、トラック制御部１６２は、光検出器１３の出力信号から生成した誤差信号に基づいて、集光スポット１２２がトラックの半径方向の中心に走査するように対物レンズアクチュエータ１１１を制御する。更に、トラック制御部１６２は、システムコントローラ１９からの指令に従って、集光スポット１２２を所定のトラックに移動させる。また、サーボコントローラ１６が制御する波面収差成分の一つは、球面収差である。球面収差制御部１６３は、後述する球面収差変化手段を透過する光束が所定の球面収差となるように球面収差変化手段を制御する。【００２０】
システムコントローラ１９は、レーザ制御手段１４、ウォブル信号処理手段１５、サーボコントローラ１６、及び、スピンドルコントローラ１８の動作をモニタし、装置全体の動作を統括する。システムコントローラ１９は、具体的には、光ヘッド１１に搭載されている半導体レーザ１２を所定のパワーで発光させるためのパワー指令信号を作成し、レーザ制御手段１４に出力する。また、バイフェーズ変調方式により変調されたディスク情報を復調させるための指令信号を作成し、ウォブル信号処理手段１５に出力する。集光スポット１２２が光ディスク１０のＨＦＭグルーブ領域を走査しているか否かは、ウォブル信号処理手段１５からのウォブル信号、或いは、光ディスク１０における光ヘッド１１の半径方向の位置によって判断する。【００２１】
システムコントローラ１９は、集光スポット１２２を所定のトラックに移動させるための指令信号を生成し、サーボコントローラ１６に出力する。また、スピンドルモータ１７を所定の周期で所定の回転方向に回転させるための指令信号を生成し、スピンドルコントローラ１８に出力する。スピンドルコントローラ１８は、システムコントローラ１９の指令に従い、スピンドルモータ１７を、所定の周期で所定の回転方向に回転させる。レーザ制御手段１４、ウォブル信号処理手段１５、システムコントローラ１９、サーボコントローラ１６、及び、スピンドルコントローラ１８は、ＣＰＵやメモリやＬＳＩ等で適宜実現すればよい。【００２２】
図２は、光ヘッド１１の構造を示している。光ヘッド１１は、対物レンズ１１０、対物レンズアクチュエータ１１１、半導体レーザ１２、コリメータレンズ１１２、偏光ビームスプリッタ１１３、球面収差変化手段１１４、１／４波長板１１５、凸レンズ１１６、円筒レンズ１１７、及び、光検出器１３を有する。対物レンズ１１０、対物レンズアクチュエータ１１１、及び、球面収差変化手段１１４は、波面収差変化手段２０を構成する。対物レンズアクチュエータ１１１は、サーボコントローラ１６によって制御され、対物レンズ１１０を、法線方向１２３と光ディスク１０の半径方向とにそれぞれ駆動する。【００２３】
半導体レーザ１２からの出射光束は、コリメータレンズ１１２で平行光束１２１となる。平行光束１２１は、偏光ビームスプリッタ１１３に対してＰ偏光として入射し、ほぼ１００％が透過し、球面収差変化手段１１４に入射する。球面収差変化手段１１４は、サーボコントローラ１６によって制御され、偏光ビームスプリッタ１１３から入射する平行光束に所定の球面収差を付加する。１／４波長板１１５は、球面収差変化手段１１４にて球面収差が付加された光を入射する。１／４波長板１１５は、入射する直線偏光の光を、円偏光に変換して出射する。１／４波長板１１５を透過した光束は、対物レンズ１１０で集束され、光ディスク１０の保護層１０１を通して情報記録層１０２上に集光される。【００２４】
光ディスク１０からの反射光束は、対物レンズ１１０を透過して１／４波長板１１５に入射する。１／４波長板１１５は、入射する円偏光の光を、直線偏光に変換して出射する。復路の直線偏光は、往路の直線偏光とは偏光方向が直交している。直線偏光に変換された光束は、球面収差変化手段１１４を逆向きに透過する。その後、偏光ビームスプリッタ１１３にＳ偏光として入射し、そのほぼ１００％が反射する。偏光ビームスプリッタ１１３で反射した光は、凸レンズ１１６、円筒レンズ１１７を透過して光検出器１３で受光される。【００２５】
対物レンズアクチュエータ１１１により、対物レンズ１１０を駆動して、集光スポット１２２を情報記録層１０２上に配置したとき、このときのフォーカスオフセットを０μｍとする。波面収差のフォーカスオフセット成分は、光ディスク１０の法線方向１２３における集光スポット１２２の位置と光ディスク１０の情報記録層１０２までの距離とに依存しており、フォーカスオフセット０μｍの場合、前記フォーカスオフセット成分は０となる。図３に、フォーカスオフセットに対する情報記録層１０２上における集光照射された光束の断面の位相分布を示す。図３に示す位相分布ａのように、前記フォーカスオフセット成分が０の場合、情報記録層１０２上の集光照射光束の断面の位相分布は、平坦な分布となる。【００２６】
一方、フォーカスオフセット０μｍの位置から、対物レンズ１１０を光ディスク１０から離れる方向に動かすと、波面収差のフォーカスオフセット成分の位相差の絶対値は大きくなり、情報記録層１０２上の集光照射光束の断面の位相分布は、情報記録層１０２上の集光照射光束の光軸の周りで同心円状に対称な位相分布ｂとなる。この分布は、情報記録層１０２上の集光照射光束の断面の半径位置の２乗に比例しており、この集光スポット１２２の焦点位置は、光束の入射側から見て情報記録層１０２より手前となる場合である。このときのフォーカスオフセットの符号を「正」とする。【００２７】
また、フォーカスオフセット０μｍの位置から対物レンズ１１０を光ディスク１０へ近づく方向に動かすと、波面収差のフォーカスオフセット成分の位相差の絶対値は大きくなり、情報記録層１０２上の集光照射光束の断面の位相分布は、位相分布ｃになる。これは、位相分布ａを基準として位相分布ｂを反転した分布であり、この集光スポット１２２の焦点位置は光束の入射側から見て情報記録層１０２より奥になる場合である。このときのフォーカスオフセットの符号を「負」とする。【００２８】
図４に、球面収差変化手段の構成例を示す。この例では、球面収差変化手段１１４は、凹レンズ１３０及び凸レンズ１３１と、両者の間の距離を変化させる駆動素子１３２とを有する。球面収差変化手段１１４は、サーボコントローラ１６の指令信号に従って駆動素子１３２を駆動し、凹レンズ１３０と凸レンズ１３１との間の距離を変化させる。凹レンズ１３０と凸レンズ１３１との間の距離を変化させることで、球面収差変化手段１１４にて、保護層１０１の厚さずれ（保護層１０１の実際の厚さと保護層１０１の厚さの理想値との差）に起因する波面収差の球面収差成分と同じ大きさで符号が逆の波面収差の球面収差成分を発生させることができる。従って、球面収差変化手段１１４が発生する波面収差の球面収差成分を、保護層１０１の厚さずれに応じて制御することで、保護層１０１の厚さずれに起因した波面収差の球面収差成分を補正することが可能である。【００２９】
図５に、球面収差変化手段１１４を出射する光束の位相分布を示す。球面収差変化手段１１４の出射光束は、凹レンズ１３０と凸レンズ１３１との間の距離に応じて、平行光束、発散光束、又は、収束光束となる。球面収差変化手段１１４の出射光束が平行光束のとき、対物レンズ１１０に入射する光束の位相分布は、図５の位相分布Ａのように、出射光束の光軸に垂直な光束断面の半径位置によらず平坦な分布となる。対物レンズ１１０は、平行光束入射を前提として、保護層１０１の厚さが理想値のときに、波面収差の球面収差成分が０となるように設計されている。従って、保護層１０１の厚さが理想値のときに、凹レンズ１３０と凸レンズ１３１との間の距離を、所定の距離（距離Ｌ）に制御し、球面収差変化手段１１４の出射光束を平行光束とすると、対物レンズ１１０を通して波面収差の球面収差成分が０になり、情報トラックに記録された情報を良好に再生することができる。【００３０】
一方、凹レンズ１３０と凸レンズ１３１との間の距離を、出射光束が平行光束となる距離Ｌより広くすると、球面収差変化手段１１４からの出射光束は収束光束となる。このときの位相分布は、出射光束の光軸の周りで同心円状に対称な位相分布Ｂとなる。この分布は、出射光束の光軸に垂直な光束断面の半径位置の４乗に比例しており、波面収差の球面収差成分の位相差の絶対値が大きくなる。保護層１０１の厚さずれに起因した波面収差の球面収差成分を、対物レンズ１１０に入射する光束の位相分布に置き換えると、前記光束の光軸に垂直な光束断面の半径位置の４乗に比例する。図５に示す位相分布Ｂを、保護層１０１の厚さずれに置き換えて考えると、保護層１０１の厚さが理想値よりも厚くなる場合に相当する。従って、保護層１０１の厚さが理想値よりも厚いときには、凹レンズ１３０と凸レンズ１３１との間の距離を距離Ｌよりも広くし、球面収差変化手段１１４の出射光束を収束光束とすることで、保護層１０１の厚さずれに起因する波面収差の球面収差成分を打ち消す球面収差を発生させることができる。【００３１】
また、凹レンズ１３０と凸レンズ１３１との間の距離を、出射光束が平行光束となる距離Ｌよりも狭くすると、球面収差変化手段１１４からの出射光束は発散光束となり、位相分布は位相分布Ｃとなる。これは、位相分布Ａを基準として位相分布Ｂを反転した分布であり、波面収差の球面収差成分の位相差の絶対値が大きくなる。この位相分布Ｃを、保護層１０１の厚さずれに置き換えて考えると、保護層１０１の厚さが理想値よりも薄くなる場合に相当する。従って、保護層１０１の厚さが理想値よりも薄いときには、凹レンズ１３０と凸レンズ１３１との間の距離を距離Ｌよりも狭くし、球面収差変化手段１１４の出射光束を発散光束とすることで、保護層１０１の厚さずれに起因する波面収差の球面収差成分を打ち消す球面収差を発生させることができる。【００３２】
ここで、球面収差変化手段１１４が与える球面収差変化量は、保護層１０１の厚さが理想値である場合を基準とし、保護層１０１の厚さずれに換算した値で表記する。例えば、保護層１０１の厚さが理想値のときに、球面収差変化手段が与える球面収差変化量は０μｍと表記する。また、球面収差変化量の符号は、球面収差変化手段１１４の出射光束を収束光束とするとき、すなわち、保護層１０１の厚さが理想値よりも厚いときに与える球面収差変化量の符号を「正」とする。逆に、球面収差変化手段１１４の出射光束を発散光束とするとき、すなわち、保護層１０１の厚さが理想値よりも薄いときに与える球面収差変化量の符号を「負」とする。【００３３】
次に、本実施形態におけるＨＦＭグルーブ領域のウォブル信号のジッタを縮小する動作について説明する。ジッタは、波面収差変化手段２０の球面収差変化量とフォーカスオフセットとに応じて変化する。情報再生装置は、ＨＦＭグルーブ領域とは異なる領域を再生する際は、良好な情報再生を可能とする球面収差変化量及びフォーカスオフセット、例えばプッシュプル信号振幅最大となる球面収差変化量及びフォーカスオフセットにて、情報再生を行う。これにより、情報再生の際の読み誤りを低減できる。しかし、プッシュプル信号振幅を最大とする球面収差変化量とフォーカスオフセットにてＨＦＭグルーブ領域を再生すると、ウォブル信号振幅は最大となるものの、ウォブル信号には局所的な波形歪や振幅低下が発生する。このため、変調されたウォブルトラックから情報を復調する際に、読み誤りが発生することがある。そこで、ＨＦＭグルーブ領域再生時には、球面収差変化量及びフォーカスオフセットを、プッシュプル信号振幅最大となる球面収差変化量及びフォーカスオフセットから変化させる。【００３４】
ウォブル信号のジッタは、波面収差変化手段２０の球面収差変化量とフォーカスオフセットとに応じて変化する。ジッタを縮小させる球面収差変化量及びフォーカスオフセットの求め方としては、球面収差変化量とフォーカスオフセットとを変化させた際のウォブル信号を、光学回折理論を用いたシミュレーションにより求め、ジッタを最小にする球面収差変化量及びフォーカスオフセットを求める方法がある。以下、光学回折のシミュレーションから、ジッタを縮小させる球面収差変化量とフォーカスオフセットとを求める場合を説明する。まず、光ディスク１０におけるＨＦＭグルーブを、図６Ａ〜６Ｄに示すような配置とする。具体的には、集光スポット１２２が走査する目標トラックのＨＦＭグルーブパターンは３６Ｔ−１８Ｔ−１８Ｔ−３６Ｔ−３６Ｔと変化するパターンとし、隣接トラックのＨＦＭパターンは１８Ｔ−１８Ｔ−１８Ｔ−１８Ｔ−１８Ｔ−１８Ｔ−１８Ｔ−１８Ｔと変化するパターンとする。【００３５】
目標トラックの１８Ｔ−１８ＴのＨＦＭグルーブに着目したとき、図６ＡのＰａｔｔｅｒｎＡは、例えばディスク外周側の隣接トラック３２１が集光スポット１２２の進行方向に０．５０１μｍずれて目標トラック３１の１８Ｔと同相に変化し、ディスク内周側の隣接トラック３２２が集光スポット１２２の進行方向に０．１６７μｍずれて目標トラック３１の１８Ｔと同相に変化する。図６ＢのＰａｔｔｅｒｎＢは、ディスク外周側の隣接トラック３２１が集光スポット１２２の進行方向に０．５０１μｍずれて目標トラック３１の１８Ｔと逆相に変化し、ディスク内周側の隣接トラック３２２が集光スポット１２２の進行方向に０．１６７μｍずれて目標トラック３１の１８Ｔと同相に変化する。【００３６】
また、図６ＣのＰａｔｔｅｒｎＣは、ディスク外周側の隣接トラック３２１が集光スポット１２２の進行方向に０．５０１μｍずれて目標トラック３１の１８Ｔと同相に変化し、ディスク内周側の隣接トラック３２２が集光スポット１２２の進行方向に０．１６７μｍずれて目標トラック３１の１８Ｔと逆相に変化する。図６ＤのＰａｔｔｅｒｎＤは、ディスク外周側の隣接トラック３２１が集光スポット１２２の進行方向に０．５０１μｍずれて目標トラック３１の１８Ｔと逆相に変化し、ディスク内周側の隣接トラック３２２が集光スポット１２２の進行方向に０．１６７μｍずれて目標トラック３１の１８Ｔと逆相に変化する。【００３７】
図７及び図８に、光学回折理論を用いて、球面収差とフォーカス位置との違いによるウォブル信号をシミュレーションした結果を示す。ここでは、プッシュプル信号振幅を最大とする球面収差変化量及びフォーカスオフセットを、０μｍとし、ＨＦＭグループ領域以外の再生では、この球面収差変化量及びフォーカスオフセットにて再生を行っているものとする。図７、図８におけるＰａｔｔｅｒｎＡ〜Ｄは、図６のＰａｔｔｅｒｎＡ〜Ｄに対応する。光学回折シミュレーションの計算条件は、表１の通りである。更に、図９に、光ディスク１０の接線方向からみた断面を示す。同図において、Ｘ方向が光ディスクの接線方向を、Ｙ方向が光ディスクの半径方向を、Ｚ方向が入射光の光軸方向をそれぞれ示す。光ディスク１０は、基板１０４、基板上に形成された情報記録層１０２、保護層１０１を有し、保護層の表面が光入射面を構成する。情報記録層１０２には、ランドトラック１０５と、グルーブトラック１０６とが形成され、双方のトラックに情報が記録される。ここで、矩形波状ウォブルは、グルーブトラック１０６に形成されているものとする。なお、各々のウォブル信号は和信号で規格化する。
【表１】
2009041687.tif 000003
【００３８】
図７は、対物レンズ１１０に入射する光束の断面の位相分布が平坦な分布である球面収差変化量＝０μｍ、及び、情報トラック面上における光束の断面の位相分布が平坦な分布であるフォーカスオフセット＝０μｍでウォブル信号を計算した結果である。それぞれの位相分布が平坦であるときプッシュプル信号振幅は最大となり、高ＮＡの対物レンズ１１０に対して波面収差の球面収差成分を補正した状態である。しかし、この状態では、隣接トラックのパターンによって、ウォブル信号の波形の歪や振幅低下が生じ、ＨＦＭウォブル信号波形の振幅０をクロスする集光スポット１２２の移動量が異なってみえる。すなわち、ウォブル信号のジッタが大きくなっている。【００３９】
図７においてウォブル信号の波形の歪や振幅低下が発生している要因は、集光スポット１２２のメインローブの一部とサイドローブとが隣接するトラックのグルーブを走査しており、隣接トラックからの外乱、すなわち、隣接グルーブトラックのウォブル成分が回り込んでいるためである。そのために、サーボコントローラ１６が波面収差変化手段２０の球面収差変化量を０μｍ、フォーカスオフセットを０μｍと設定すると、プッシュプル信号振幅は最大となるものの、ウォブル信号のジッタは大きくなる。【００４０】
一方、図８は、球面収差変化量、フォーカスオフセットを図７とは異なる値とした場合の計算結果である。図８では、球面収差変化量＝３μｍ、フォーカスオフセット＝−０．４７μｍとしている。この球面収差変化量は、保護層の厚さが厚くなる方向の球面収差変化量を与えたことに相当し、フォーカスオフセットは、光ディスク１０への光束の入射側から見て、集光スポット１２２の焦点位置が情報記録層１０２よりも奥となるようにフォーカスオフセットを与えたことに相当する。図８では、各パターンにおけるウォブル信号には波形の歪がなく、振幅が概ね揃っている。また、ウォブル信号のジッタが縮小している。【００４１】
球面収差変化量及びフォーカスオフセットを、情報再生を良好に行うことができる条件（球面収差変化量＝０μｍ、フォーカスオフセット＝０μｍ）から変化させると、集光スポット１２２のスポット形状が変化する。すなわち、隣接グルーブトラックを走査しているメインローブの一部とサイドローブの形状が変化する。ジッタが縮小しているのは、集光スポット１２２のメインローブとサイドローブの電界の位相が反転しているため、前記のような形状の変化により、メインローブの一部から漏れ込んでくる隣接グルーブトラックのウォブル信号成分をサイドローブに含まれる隣接グルーブトラックから漏れ込んでくるウォブル信号成分で相殺できているためである。そのため、サーボコントローラ１６が波面収差変化手段２０の球面収差変化量を３μｍ、フォーカスオフセットを−０．４７μｍと設定すると、隣接トラックからの外乱が小さいウォブル信号を得ることができ、変調されたウォブルトラックからデータを復調する際の読み誤りを低減することができる。【００４２】
なお、上記では、波面収差変化手段２０の球面収差変化量とフォーカスオフセットとは、物理定数を元にあらかじめ計算した値としたが、光ディスク装置を動作させて導出した値としてもよい。具体的には、プッシュプル信号振幅が最大となる球面収差変化量を０μｍ、フォーカスオフセットを０μｍとし、サーボコントローラ１６により、球面収差変化量とフォーカスオフセットとを随時変化させながら、ウォブル信号のジッタが最小となる波面収差変化手段２０の球面収差変化量とフォーカスオフセットとを導出する。この波面収差変化手段２０の球面収差変化量とフォーカスオフセットとの導出は、ウォブル信号からディスク情報を復調する前に行ってもよいし、ウォブル信号に含まれるディスク情報を復調しながら行ってもよい。【００４３】
また、隣接グルーブトラックからの外乱を低減する波面収差変化手段２０の球面収差変化量とフォーカスオフセットとは、ジッタが最小とする代わりに、ジッタが所定の値より小さくなる球面収差補正量とフォーカスオフセットとしてもよい。また、ＨＦＭ領域からのデータ読出しに際して設定する、波面収差変化手段２０の球面収差変化量とフォーカスオフセットとは、波面収差変化手段２０に記憶してもよく、或いは、光ディスク１０やサーボコントローラ１６やシステムコントローラ１９に記憶してもよい。【００４４】
上記では、矩形波状ウォブルがグルーブトラック１０６に形成される例で説明したが、矩形波状ウォブルがランドトラック１０５に形成される構成も可能である。矩形波状ウォブルがランドトラック１０５に形成される場合、プッシュプル信号振幅最大の球面収差変化量とフォーカスオフセットとに対して、球面収差変化量は保護層の厚さが薄くなる方向の球面収差変化量を与える。また、フォーカスオフセットは、光ディスク１０への光束の入射側から見て、集光スポット１２２の焦点位置が情報記録層１０２よりも手前となるようにフォーカスオフセットを与える。このようにすることで、隣接トラックからの外乱が小さなウォブル信号を得ることができる。【００４５】
上記実施形態の光ディスク装置は、本発明の基本構成である、光ディスクにビームを集光照射する照射装置と、集光ビームを情報トラックに追従させるサーボコントローラと、光ディスクからの反射光から抽出されたウォブル信号に含まれるデータを復調するウォブル信号処理手段と、ウォブル信号から前記所定のデータを復調する際に、前記ウォブル信号に含まれる、前記情報トラックに隣接するトラックからの干渉成分を低減させるように、情報トラックに記録された情報を再生する際に前記ビームに与える波面収差とは異なる波面収差を前記ビームに加える波面収差変化手段とを有する構成により、波面収差変化手段が、ＨＦＭ領域の再生時に、ウォブル信号に含まれる情報トラックに隣接するトラックからの干渉成分を低減させるように、光ディスクに集光照射するビームへ波面収差を与える。この波面収差は、ＨＦＭ領域以外の情報を再生する際にビームに与える波面収差とは異なる値である。再生する領域に応じて、異なる波面収差をビームに与えることで、データ領域で情報を再生する際の読み誤りと、変調されたウォブルトラックからデータを復調する際の読み誤りとを、同時に低減することができる。【００４６】
続いて、本発明の第２実施形態について説明する。図１０は、第２実施形態の光ディスク装置の構成を示している。本実施形態の光ディスク装置は、図１に示す第１実施形態の光ディスク装置とは、光ヘッド１１ａとサーボコントローラ１６ａが異なる。第１実施形態と同じ構成要素については、図１と同じ符号を用いる。図１１に、本実施形態で用いる光ヘッド１１ａの構成を示す。本実施形態で用いる光ヘッド１１ａは、図２に示す光ヘッド１１の往路光学系に、位相板２１が加えられた構成である。その他の構成要素は、第１実施形態で用いる光ヘッド１１と同様である。位相板２１は、例えば、液晶素子で構成される。【００４７】
本実施形態で用いるサーボコントローラ１６ａは、第１実施形態で用いるサーボコントローラ１６に、位相板２１を透過する平行光束１２１が、所定の位相分布となるように位相板２１を制御する位相板制御部を有する。本実施形態では、波面収差変化手段２０ａは、対物レンズ１１０、対物レンズアクチュエータ１１１、球面収差変化手段１１４、及び、位相板２１によって構成される。【００４８】
図１２Ａ及び１２Ｂに、位相板２１の断面図及び上面図を示す。図１２Ｂに示すように、位相板２１は、中央に第１の領域２１１を有し、その周辺に第２の領域２１２を有する。第１の領域２１１の直径は、対物レンズの外径２１３よりも小さいものとする。図１２Ａに示すように、位相板２１は、液晶高分子を含む液晶層２２０と、液晶層２２０を挟む配向膜２２１と、液晶高分子の配向方向２２４を制御するための透明電極２２２と、液晶層２２０、配向膜２２１、及び、透明電極２２２を保護するガラス板２２３とを有する。配向膜２２１は、液晶高分子の配向方向２２４を決定する。本実施形態では、図１２Ｂに示すように、位相板２１への入射光束の光軸方向に直交する面内における液晶高分子の配向方向２２４を、光ディスク１０の半径方向に平行とする。【００４９】
透明電極２２２には、サーボコントローラ１６ａの位相板制御部によって電圧が印加され、入射光束の光軸方向に平行な方向に電界が生じる。この電界の大きさにより、図１２Ａに示すように、入射光束の光軸方向と光ディスク１０の半径方向とを含む面内における液晶高分子の配向方向２２４が変化する。液晶高分子は、液晶高分子の配向方向２２４に対して平行な方向と垂直な方向との間で屈折率異方性を有している。従って、位相板２１は、透過する平行光束１２１に対して、第１の領域２１１及び第２の領域２１２にて、印加電圧の大きさに応じた位相差を付加することができる。【００５０】
図１３は、位相板２１の各領域へ印加する電圧と位相板２１を透過する平行光束１２１の位相差との関係を示している。図１３を参照すると、印加電圧が１Ｖから３Ｖの範囲では、位相板２１を透過する平行光束１２１の位相差は、印加電圧に対して線形に変化することがわかる。【００５１】
図１４は、位相板２１を透過する平行光束１２１に付加された、光束の光軸の周りで同心円状に対称な位相分布を示している。図１４の横軸は、位相板２１を透過する平行光束１２１の光軸に直交する断面の半径方向位置である。Ｒ１は、第１の領域２１１の半径を、Ｒ２は対物レンズの半径を示す。縦軸は、位相板２１を透過する平行光束１２１の位相差であり、第１の領域２１１を透過する平行光束１２１の位相差を基準としている。サーボコントローラ１６ａの位相板制御部は、第１の領域２１１に電圧Ｖａを印加し、第２の領域２１２に電圧Ｖｂを印加する。Ｖａ＞Ｖｂとなる電圧を位相板２１の各領域へ印加することで、第２の領域２１２を透過する平行光束１２１の位相差に対して、第１の領域２１１を透過する平行光束１２１の位相差が「−（マイナス）」となる位相分布ができる。【００５２】
次に、本実施形態におけるＨＦＭグルーブ領域のウォブル信号のジッタを縮小する動作について説明する。サーボコントローラ１６ａは、光ディスク１０に集光照射されたビームの断面の位相分布を平坦な分布とするために、位相板２１に、ステップ状の位相差０を設定する。位相板制御部が位相板２１の電圧をＶａ＝Ｖｂとすると、第１の領域２１１、第２の領域２１２を透過する平行光束１２１の位相差は同じになる。このとき、サーボコントローラ１６ａが、プッシュプル信号振幅が最大となるように球面収差変化量とフォーカスオフセットとを調整すれば、高ＮＡの対物レンズ１１０に対して球面収差を補正した状態となり、ウォブル信号は、図７と同じである。【００５３】
一方、リードイン領域からディスク情報を読み出す場合、サーボコントローラ１６ａは、プッシュプル信号振幅が最大となる球面収差変化量とフォーカスオフセットとを変えずに、位相板２１にステップ状の位相差−πを設定する。サーボコントローラ１６ａが、位相板２１の電圧をＶａ＝２Ｖ，Ｖｂ＝１Ｖとすることで、第１の領域２１１透過する光束に対する第２の領域２１２を透過する光束のステップ状の位相差が−πとなる。【００５４】
図１５に、位相板２１を透過する平行光束１２１にステップ状の位相差−πを付加したときのウォブル信号を計算した結果を示す。ここでは、第１の領域２１１の半径は、対物レンズの半径の２／７としている。サーボコントローラ１６ａは、位相板２１にステップ状の位相差―πを設定することで、隣接グルーブトラックから漏れ込んでくるウォブル成分を最小とする。その結果、ジッタが縮小する。これより、バイフェーズ変調されたＨＦＭグルーブ領域のウォブル信号の読み誤りが少ない情報再生動作を実現することができる。【００５５】
ここで、図１６に、第１実施形態における、フォーカス位置を法線方向１２３に移動したときのフォーカス誤差信号Ｅｆを示す。横軸はフォーカス位置を示し、ディスク入射面に近い方を正方向で示している。信号Ａ１は、球面収差変化量なし（０μｍ）の場合、信号Ｂ１は、球面収差変化量あり、すなわち、ＨＦＭ領域再生時に球面収差変化量をプッシュプル信号振幅最大から変化させた場合である。信号Ａ１は、集光スポット１２２が情報記録層１０２上に配置されるフォーカス位置０において基準電位（図中０レベル）となる。信号Ａ１の最大値Ａ１ＭＡＸ及び最小値Ａ１ＭＩＮの絶対値は、ほぼ一致する。一方、信号Ｂ１は、集光スポット１２２が情報記録層１０２上に配置されるフォーカス位置０において基準電位（図中０レベル）と一致しない。また、信号Ｂ１の最大値Ｂ１ＭＡＸ及び最小値Ｂ１ＭＩＮの絶対値は、異なる。第１の実施形態では、球面収差変化量を付加しているため、信号Ｂ１のようにフォーカス誤差信号は変化する。ただし、この程度の変化であれば、実用上は問題ない。【００５６】
本実施形態では、位相板２１のステップ状の位相差を−πとしている場合、対物レンズ１１０で集光照射している光束の断面の位相分布は、図１６のフォーカス位置０を中心に、法線方向１２３に対して対称となる。これより、本実施形態では、ＨＦＭ領域の再生時にも、図１６に示す信号Ａと同等なフォーカス誤差信号を得ることができる。つまり、本実施形態では、第１実施形態に比して、ＨＦＭ領域再生時にも、良好なフォーカス誤差信号を得ることができる。【００５７】
なお、本実施形態においても、矩形波ウォブルをランドトラックに形成することができる。その場合には、ステップ状の位相差の符号を、反転すればよい。すなわち、ステップ状の位相差＋πを付加すればよい。また、光ヘッド１１ａが球面収差変化手段１１４を有する構成について説明したが、これには限定されない。光ヘッド１１ａが球面収差変化手段１１４を備えずに、波面収差変化手段を、対物レンズ１１０と、対物レンズアクチュエータ１１１と位相板２１とで構成してもよい。【００５８】
また、第１及び第２の実施形態では、保護層１０１の厚さが理想値である場合を基準として説明したが、それに限るものではない。例えば、球面収差変化手段１１４が、保護層１０１の厚さずれに起因する波面収差の球面収差成分を補正する球面収差成分を与える状態を基準とし、そのときの球面収差変化量を０μｍとして定義してもよい。その場合は、ＨＦＭ領域を再生する際に、球面収差変化量を０μｍから、ウォブル信号のジッタを縮小できる所定の球面収差変化量へ変化させればよい。【００５９】
また、第１及び第２の実施形態では、ＨＦＭグルーブ領域のウォブル信号からディスク情報を復調する際に新たに波面収差を加える場合について説明したが、それに限るものではない。データ領域に記録された情報を再生する動作から、データ領域に形成されているウォブルからアドレス情報などを復調する動作に切り替える場合に、新たに波面収差を加えても良く、或いは、データ領域に情報を記録する動作から、データ領域に形成されているウォブルからアドレス情報などを復調する動作へ切替える場合に、新たに波面収差を加えても良い。また、光ディスク１０がＢＤ−ＲＥである場合について説明したが、光ディスクはこれに限るものではなく、情報トラックの少なくとも一部が所定のデータの変調方式に対応して形成されたウォブルからなる領域を有する光ディスクからウォブルに含まれるデータを復調する場合に新たに波面収差を加えても良い。さらに、矩形波状ウォブルについて説明したが、ウォブル形状は、正弦波、三角波、或いは、ノコギリ波などであってもよく、矩形波に限定されない。【００６０】
本発明を特別に示し且つ例示的な実施形態を参照して説明したが、本発明は、その実施形態及びその変形に限定されるものではない。当業者に明らかなように、本発明は、添付のクレームに規定される本発明の精神及び範囲を逸脱することなく、種々の変更が可能である【００６１】
本出願は、２００７年９月２７日出願に係る日本特許出願２００７−２５２１８５号を基礎とし且つその優先権を主張するものであり、引用によってその開示の内容の全てを本出願の明細書中に加入する。【００６２】
以上、本発明をその好適な実施形態に基づいて説明したが、本発明の光ディスク装置は、上記実施形態にのみ限定されるものではなく、上記実施形態の構成から種々の修正及び変更を施したものも、本発明の範囲に含まれる。
【図１】
2009041687.tif 000004
【図２】
2009041687.tif 000005
【図３】
2009041687.tif 000006
【図４】
2009041687.tif 000007
【図５】
2009041687.tif 000008
【図６】
2009041687.tif 000009
【図７】
2009041687.tif 000010
【図８】
2009041687.tif 000011
【図９】
2009041687.tif 000012
【図１０】
2009041687.tif 000013
【図１１】
2009041687.tif 000014
【図１２】
2009041687.tif 000015
【図１３】
2009041687.tif 000016
【図１４】
2009041687.tif 000017
【図１５】
2009041687.tif 000018
【図１６】
2009041687.tif 000019
【図１７】
2009041687.tif 000020
【図１８】
2009041687.tif 000021
【国際調査報告】
2009041687.tif 000022
2009041687.tif 000023
2009041687.tif 000024
2009041687.tif 000025